(57)【要約】      （修正有）【課題】壁面に平板状の掲示物を取り付けるために使用するデザイン性に優れた固定具を提供する。【解決手段】壁面Ｗに固定される固定部材３０と、固定部材に連結されネジ穴が形成された受け部材２０と、上ネジ部と頭部とを有する挿入部材１０と、を備える。上記挿入部材の上記頭部は、内部に発光手段を備える共に、当該発光手段周囲が光を透過する透過部材にて形成されており、上記挿入部材のネジ部１１は、その外周部と先端部とに各発光手段側端子１３を備える。また、上記受け部材は、上記ネジ穴の内側壁側と内底面側とに上記各発光手段側端子とそれぞれ接触して当該各発光手段側端子を介して上記発光手段に電力を供給する各電力供給側端子２５を備えると共に、当該各電力供給側端子にそれぞれ接続され上記固定部材側から外部に延びる電力供給用配線を備える。さらに、上記固定部材は、当該固定部材内部を上記受け部材の上記電力供給用配線が通過することを許容する配線用空間部を有する。【選択図】図７
0003156726.tif 000002
【実用新案登録請求の範囲】
【請求項１】
壁面に固定される固定部材と、
前記固定部材に連結され、前記壁面とは反対側に位置する端面から当該壁面に向かって垂直に延びる所定の長さのネジ穴が形成された受け部材と、
前記受け部材の前記ネジ穴に挿入され螺合する棒状のネジ部と、当該ネジ部の挿入端とは反対側に当該ネジ部と一体的に形成された前記ネジ穴の内径よりも大きい外形の頭部と、を有する挿入部材と、を備え、
前記挿入部材の前記頭部は、内部に発光手段を備える共に、当該発光手段にて発光された光が外部に露光されるよう当該発光手段の周囲が光を透過する透過部材にて形成されており、
前記挿入部材の前記ネジ部は、その外周部と先端部とに、前記発光手段に電力を供給するよう当該発光手段に接続された各発光手段側端子を備え、
前記受け部材は、前記ネジ穴の内側壁側と内底面側とに、当該ネジ穴に挿入された前記挿入部材の前記ネジ部に備えられた前記各発光手段側端子とそれぞれ接触して当該各発光手段側端子を介して前記発光手段に電力を供給する各電力供給側端子を備えると共に、当該各電力供給側端子にそれぞれ接続され前記固定部材側から外部に延びる電力供給用配線を備え、
前記固定部材は、当該固定部材内部を前記受け部材の前記電力供給用配線が通過することを許容する配線用空間部を有する、
固定具。
【請求項２】
請求項１に記載の固定具であって、
前記固定部材の前記配線用空間部は、当該固定部材に連結された前記受け部材側と当該固定部材が固定された前記壁面側とが連通するよう前記固定部材に形成されている、
固定具。
【請求項３】
請求項２に記載の固定具であって、
前記固定部材の前記配線用空間部は、前記固定部材の外周から中心に向かって切除された切り欠きにて形成されている、
固定具。
【請求項４】
請求項１乃至３のいずれか一項に記載の固定具であって、
前記受け部材に形成された前記ネジ穴の内底面側に備えられた前記電力供給側端子は、当該ネジ穴の穴方向に沿って伸縮するコイルばねにて形成されている、
固定具。
【考案の詳細な説明】
【技術分野】
【０００１】
本考案は、固定具にかかり、特に、壁面に被固定部材を固定するための固定具に関する。
【背景技術】
【０００２】
壁にパネルを設置するなど、壁面に被固定部材を固定するために、一般的にはネジが用いられている。そして、ネジは、通常、棒状部材にて形成されており、その一端側には頭部を備え、他端側にはネジ山が形成されたネジ部を備えている。また、ネジの頭部は、例えば六角形のナット状に形成されていたり、頭頂面に十字状溝が形成されていることにより、スパナやドライバーなどの工具で回すことが可能である。これにより、ネジ山が形成されたネジ部を、被固定部材に挿通させつつ壁面にねじ込むことで、当該壁面に被固定部材を固定することができる。また、壁面からネジを取り外すことで、被固定部材を取り外すことができる。
【０００３】
ところが、被固定部材が、例えば、絵画やポスターをアクリルガラス内に収容したパネルといった展示物である場合には、これを壁に固定した時のネジの頭頂面に形成された十字状溝などが、展示物と共に外部に露出してしまうため、外観が損なわれる、という問題があった。
【０００４】
これに対して、特許文献１では、頭部にキャップを装着可能なネジを開示している。このネジを用いることで、被固定部材を固定した後にネジの頭部にキャップを装着することによって、固定具の外観の向上を図ることができる。
【先行技術文献】
【特許文献】
【０００５】
【特許文献１】登録実用新案第３１２８６０１号公報
【考案の概要】
【考案が解決しようとする課題】
【０００６】
しかしながら、上述した技術では、ネジの頭部に装着したキャップのデザインのみによって固定具の外観を変化させることとなるため、キャップのデザインに制限があり、デザイン性のさらなる向上を図ることができない、という問題があった。
【０００７】
このため、本考案の目的は、上述した課題である、固定具のデザイン性が制限されることを解決することができる固定具を提供することにある。
【課題を解決するための手段】
【０００８】
かかる目的を達成するため本考案の一形態である固定具は、
壁面に固定される固定部材と、
上記固定部材に連結され、上記壁面とは反対側に位置する端面から当該壁面に向かって垂直に延びる所定の長さのネジ穴が形成された受け部材と、
上記受け部材の上記ネジ穴に挿入され螺合する棒状のネジ部と、当該ネジ部の挿入端とは反対側に当該ネジ部と一体的に形成された上記ネジ穴の内径よりも大きい外形の頭部と、を有する挿入部材と、を備える。
そして、上記挿入部材の上記頭部は、内部に発光手段を備える共に、当該発光手段にて発光された光が外部に露光されるよう当該発光手段の周囲が光を透過する透過部材にて形成されており、
上記挿入部材の上記ネジ部は、その外周部と先端部とに、上記発光手段に電力を供給するよう当該発光手段に接続された各発光手段側端子を備える。
また、上記受け部材は、上記ネジ穴の内側壁側と内底面側とに、当該ネジ穴に挿入された上記挿入部材の上記ネジ部に備えられた上記各発光手段側端子とそれぞれ接触して当該各発光手段側端子を介して上記発光手段に電力を供給する各電力供給側端子を備えると共に、当該各電力供給側端子にそれぞれ接続され上記固定部材側から外部に延びる電力供給用配線を備える。
さらに、上記固定部材は、当該固定部材内部を上記受け部材の上記電力供給用配線が通過することを許容する配線用空間部を有する、
という構成を採る。
【考案の効果】
【０００９】
本考案は、以上のように構成されることにより、固定具のデザイン性の向上を図ることができる。
【図面の簡単な説明】
【００１０】
【図１】固定具を構成する各部品の構成を示す断面図である。
【図２】図１に開示した挿入部材の構成を示す図である。
【図３】図１に開示した受け部材の構成を示す図である。
【図４】図１に開示した固定部材の構成を示す図である。
【図５】固定具の取り付け手順を示す図である。
【図６】固定具の取り付け時の様子を示す図である。
【図７】固定具の取り付け時の様子を示す図である。
【考案を実施するための形態】
【００１１】
＜実施形態１＞
本考案の第１の実施形態を、図１乃至図７を参照して説明する。図１は、固定具を構成する各部品の構成を示す断面図であり、図２乃至図４は、各部品の構成を示す図である。図５乃至図７は、固定具の取り付け手順及びその時の様子を示す図である。
【００１２】
なお、以下では、例えば、ポスターなどが収容された所定の厚さを有するパネルＰを、被固定部材の一例として挙げて説明する。そして、本考案である固定具１は、図５（Ｄ）に示すように、パネルＰなどの被固定部材を、壁面Ｗに固定して飾るためのものである。なお、本考案で固定する固定具１が固定する被固定部材は、必ずしもパネルＰであることに限定されない。
【００１３】
［構成］
図１に、本考案における固定具１を構成する各部品の断面図を示す。この図に示すように、固定具１は、壁面に固定される固定部材３０と、この固定部材３０に連結される受け部材２０と、この受け部材２０のネジ穴に挿入される挿入部材１０と、を備えている。そして、後述する図５（Ｄ）に示すように、固定部材３０と受け部材２０とが一体的となって壁面Ｗに固定され、上記受け部材２０のネジ穴に挿入部材１０が挿入されることで、当該受け部材２０と挿入部材１０との間で、パネルＰを挟持して固定する。以下、各構成部品について、さらに詳述する。
【００１４】
まず、図１及び図２を参照して、挿入部材１０について説明する。図２（Ｂ）は、挿入部材１０の正面断面図であり、図２（Ａ）は左側面図を示す。これらの図に示すように、挿入部材１０は、略円柱状の頭部１６と、断面が円形の棒状であり周囲に雄ネジが形成されたネジ部１１と、が一体的に形成されている。具体的に、ネジ部１１の外径は、後述する受け部材２０に形成されたネジ穴２２の内径とほぼ同一であり、当該ネジ穴２２に挿入されて螺合するよう構成されている。
【００１５】
そして、挿入部材１０の頭部１６は、その外径が、ネジ部１１の径及び受け部材２０に形成されたネジ穴２２の内径よりも大きく形成されている。具体的には、頭部１６は、後述する略円筒形状である受け部材本体２１の外径とほぼ同一の外径である。
【００１６】
また、挿入部材１０の頭部１６の内部には、図１に示すように、ＬＥＤ１７（発光手段）が装備されており、その周囲はアクリルなどの透明あるいは半透明である光を透過する透過部材１８にて構成されている。従って、内部のＬＥＤ１７が発光すると、その光が透過部材１８から外部に露出することとなり、挿入部材１０の頭部１６が光るよう構成されている。そして、上記ＬＥＤ１７には、当該ＬＥＤ１７に電力を供給する配線１４，１５が接続されており、ネジ部１１内部に収容されている。なお、挿入部材１０の頭部１６に装備される発光手段は、ＬＥＤ１７であることに限定されず、電力の供給を受けて光を発する他の部品であってもよい。
【００１７】
また、挿入部材１０のネジ部１１には、ネジが形成されている外周部（符号１２）と、ネジ穴２２への挿入側となる先端部（符号１３）とに、それぞれ電力の供給を受ける正負の端子１２，１３（発光手段側端子）が形成されている。そして、ＬＥＤ１７に接続された上記各配線１４，１５は、外周部に形成された端子１２と先端部に形成された端子１３とに、それぞれ接続されている。なお、先端部に位置する端子１３は、その周囲が絶縁体１３ａで囲まれて取り付けられているため、外周部の端子１２と先端部の端子１３とは絶縁された状態にある。
【００１８】
次に、図１及び図３を参照して、受け部材２０について説明する。図３（Ｂ）は、受け部材２０の正面断面図であり、図３（Ａ）は左側面図を示す。これらの図に示すように、受け部材２０を構成する受け部材本体２１は、所定の長さを有する略円筒状に形成されており、その外径は、上述した挿入部材１０の頭部１６の外径とほぼ同一である。そして、受け部材本体２１は、後述するように固定部材３０を介して壁面Ｗに固定されたときに、当該壁面Ｗとは反対側に位置する一端面側（図３（Ｂ）の左側端面であり、図３（Ａ）に示す端面）から、壁面Ｗに当接される他端面側（図３（Ｂ）の右側端面側）に向かって、上記挿入部材１０のネジ部１１とほぼ同一の内径のネジ穴２２が形成されている。つまり、このネジ穴２２の内側面には雌ネジが形成されており、上述した挿入部材１０のネジ部１１が挿入されてねじ込まれることで、螺合するよう構成されている。そして、受け部材本体２１の一端面（図３（Ｂ）の左側端面であり、図３（Ａ）に示す端面）は、後に、上述した挿入部材１０の頭部１６のネジ部１１側端面と共に、パネルＰを挟む挟持面として機能する。
【００１９】
また、受け部材本体２１のネジ穴２２は、他端面側まで貫通しているが、雌ネジが形成されているのは貫通する穴の途中までである。具体的には、図３（Ｂ）に示すように、受け部材本体２１全体の長さに対して、一端面から３分の２から４分の３程度の長さの箇所で、貫通した穴の内径が狭くなっており、この箇所まで雌ネジが形成されている。
【００２０】
そして、受け部材本体２１に形成されたネジ穴２２を含む貫通した穴の内径が狭くなった箇所には、絶縁部材２４が固定装備される。この絶縁部材２４は、ネジ穴２２の内径とほぼ等しい外径を有する円筒部材であり、外周に雄ネジが形成されている。これにより、絶縁部材２４をネジ穴２２の一端面側から当該ネジ穴２２の内径が狭くなった箇所までねじ込むことで、絶縁部材２４は貫通した穴の内径が狭くなっている箇所で固定され、ネジ穴２２の内底面を形成することとなる。そして、絶縁部材２４の中心には貫通穴が形成されており、導電材料で形成されたコイルばね２５が貫通穴に挿入されて固定装備されている。具体的に、コイルばね２５は、ネジ穴２２の内底面を形成する絶縁部材２４から受け部材本体２１の一端面側に延びるよう配置されており、ネジ穴２２の穴方向（深さ方向）に沿って伸縮するよう配置されている。
【００２１】
また、受け部材本体２１の他端面側には、上述したネジ穴２２よりも内径が大きく、後述する固定部材３０を収容する収容穴２３が形成されている。つまり、受け部材本体２１に形成されたネジ穴２２から続く貫通した穴は、上記絶縁部材２４が装備された内径が狭くなった箇所よりも他端面側では、ネジ穴２２よりも内径が大きく形成されている。そして、収容穴２３の外周に位置する壁面の所定箇所には、受け部材本体２１の外側面から収容穴２３に対して貫通する係止穴２３ａが形成されている。この係止穴２３ａの内側面には雌ネジが形成されており、後述するように、受け部材２０を固定部材３０に固定する止めネジが挿入されることとなる。
【００２２】
そして、受け部材本体２１は、導電性部材にて形成されており、当該受け部材本体２１自体が、上述した挿入部材１０に搭載されたＬＥＤ１７に電力を供給する端子（電力供給側端子）として機能する。具体的には、受け部材本体２１に形成されたネジ穴２２の内側面が、挿入部材１０のネジ部１１の外周部に形成された端子１２と接触して、当該端子１２に電力を供給する端子として機能する。このため、受け部材本体２１には、図１に示すように、電力供給用配線２１ａが接続され、収容穴２３側に延びている。
【００２３】
また、受け部材２０のネジ穴２２内に装備された上記コイルばね２５は、ＬＥＤ１７に電力を供給するもう１つの端子（電力供給側端子）として機能する。具体的に、このコイルばね２５は、上述した挿入部材１０のネジ部１１の先端部に形成された端子１３と接触して、当該端子１３に電力を供給する端子として機能する。このため、コイルばね２５には、図１に示すように、電力供給用配線２５ａが接続され、収容穴２３側に延びている。
【００２４】
次に、図１及び図４を参照して、固定部材３０について。図４（Ｂ）は、固定部材３０の正面断面図であり、図４（Ａ）は左側面図を示す。これらの図に示すように、固定部材３０は、所定の長さ（厚さ）を有する略円柱状の部材である。そして、固定部材３０の一端面（図４（Ｂ）の左側端面であり、図４（Ａ）に示す端面）側は、上記受け部材２０に形成された収容穴２３に収容可能なよう、その外径が収容穴２３の内径とほぼ同一に形成され、収容部を形成している。なお、この収容部の高さ、つまり、固定部材３０の一端面からの長さは、上記収容穴２３の深さとほぼ同一である。
【００２５】
そして、固定部材３０の収容部（一端面側）には、外周面に環状の凹部３２が形成されている。この凹部３２は、後述するように、受け部材２０の収容穴２３の周囲に形成された係止穴２３ａの位置に対応して形成されている。このため、上記収容穴２３に固定部材３０の収容部（一端面側）を収容して、係止穴２３ａに止めネジを挿入することで、当該止めネジが凹部３２にも挿入され、固定部材３０と受け部材２０とを固定して連結することができる。なお、固定部材３０の他端面側（図４（Ｂ）の右側端面側）の外径は、上述した一端面側の収容部の外径よりも大きい形成されている。
【００２６】
また、固定部材３０の一端面側の中心部には、他端面側に向かう所定の深さの穴が形成されている。さらに、図４に示すように、固定部材３０の側面の所定箇所から中心にかけて切除された切り欠き３３（配線用空間部）が形成されている。つまり、固定部材３０は、図４（Ａ）に示すように、略Ｃ字状に形成されている。そして、上記切り欠き３３は、固定部材３０を一端面と他端面とを貫通するよう形成されており、かかる空間には、後述するように、受け部材２０の収容穴２３側から外部に延びるよう装備された配線２１ａ，２５ａが配置される。つまり、受け部材２０の配線２１ａ，２５ａが、固定部材３０の切り欠き３３内を通過することとなる。なお、上述した切り欠き３３により、固定部材３０の中心は貫通した状態となる。
【００２７】
［取り付け方法］
次に、上記構成の固定具１の取り付け方法について、図５乃至図７を参照して説明する。なお、図５は、固定具１の取り付けの様子を示す斜視図であり、図６及び図７は、断面図である。
【００２８】
まず、図５（Ａ）及び図６（Ａ）の断面図に示すように、固定部材３０の他端面を壁面Ｗに当接させ、当該固定部材３０の切り欠き３３が形成された中心部にネジ４１を挿入し、そのままネジ４１を壁面Ｗにねじ込む。これにより、固定部材３０を壁面Ｗに固定することができる。
【００２９】
続いて、壁面Ｗに固定した固定部材３０に対して、受け部材２０の他端側つまり収容穴２３側を連結する。具体的には、受け部材２０の収容穴２３側の他端面を壁面Ｗに近づけ、当該収容穴２３に固定部材３０の一端側の収容部を挿入する。なお、このとき、図６（Ｂ）及び図４（Ａ）に示すように、固定部材３０の切り欠き３３部分（配線用空間部）に、受け部材２０の収容穴２３側から外部に延びる配線２１ａ，２５ａが収容されるよう位置させる。これにより、配線２１ａ，２５ａを固定部材３０内の切り欠き３３を通過させて、当該固定部材３０の側面側から外部に出すことができる。あるいは、切り欠き３３内を通過させた配線２１ａ，２５ａを、壁面Ｗ内に通してもよい。なお、各配線２１ａ，２５ａは、電源などに接続され、電力が供給される。
【００３０】
そして、上述したように固定部材３０に受け部材２０を装着した後には、受け部材本体２１の収容穴２３の側面に形成された係止穴２３ａに止めネジ４２をねじ込む。これにより、図６（Ｂ）に示すように、止めネジ４２が固定部材３０の一端側の収容部の周囲に形成された凹部３２にまでねじ込まれるため、当該止めネジ４２で固定部材３０と受け部材２０とを締結でき、受け部材２０が壁面Ｗに対して垂直方向に抜けることを防止できる。また、これにより、受け部材２０のネジ穴２２が壁面Ｗに対して垂直方向に延びるよう配置される。
【００３１】
続いて、図５（Ｃ）に示すように、壁面Ｗに固定された受け部材２０の壁面Ｗ側とは反対側で外部に露出している一端面に、パネルＰを当接する。このとき、受け部材２０のネジ穴２２と、パネルＰに形成された貫通穴Ｐａとの位置を一致させる。そして、パネルＰの貫通穴Ｐａ及び受け部材２０のネジ穴２２に、挿入部材１０のネジ部１１を挿入する。
【００３２】
その後、挿入部材１０のネジ部１１を受け部材２０のネジ穴２２に対してねじ込むことにより、図５（Ｄ）に示すように、挿入部材１０の頭部１６と受け部材２０の一端面とで、パネルＰが挟持される。これにより、パネルＰを壁面Ｗに固定することができる。
【００３３】
そして、挿入部材１０を受け部材２０に挿入すると、図７（Ａ）に示すように、挿入部材１０のネジ部の外周部と先端部とにそれぞれ設けられた各端子１２，１３が、受け部材２０のネジ穴２２内部の端子２２，２５、つまり、ネジ穴２２の内側面とコイルばね２５とに接触する。これにより、ネジ穴２２の内側面とコイルばね２５に接続された配線２１ａ，２５ａから供給された電力が、挿入部材１０の頭部１６に設けられたＬＥＤ１７に供給され、当該ＬＥＤ１７が発光することとなる。なお、ＬＥＤ１７による光は、挿入部材１０の頭部１６が透過部材１８にて形成されているため、当該頭部１６の外部にも露光される。
【００３４】
ここで、固定されるパネルＰの厚さが変わった場合には、受け部材２０に対する挿入部材１０のねじ込み位置を変えることで、対応することができる。例えば、パネルＰの厚さが薄い場合には、図７（Ｂ）に示すように、図７（Ａ）で示したときよりもさらに挿入部材１０のネジ部１１を受け部材２０のネジ穴２２の奥の方までねじ込むことで、挿入部材１０の頭部１６と受け部材２０の一端面との距離を狭くすることができ、薄いパネルＰを挟持することができる。そして、このような場合であっても、挿入部材１０のネジ部１１の先端部に設けた端子１３に電力を供給する受け部材２０側の端子を、ネジ穴２２の穴方向に伸縮するコイルばね２５にて構成したことで、当該各端子１３，２５が相互に接触しうる。従って、あらゆる厚さのパネルＰを固定するよう対応でき、かつ、頭部１６が光るようになるため、利便性、汎用性の向上とともに、デザイン性の向上を図ることができる。さらに、上記構成にすることで、挿入部材１０に配線が形成されないため、取り付け作業も容易となり、作業性の向上を図ることができる。
【００３５】
＜実施形態２＞
本考案の第２の実施形態における固定具である固定具について説明する。なお、本実施形態では、上記実施形態にて説明した固定具の構成の概略を説明する。
【００３６】
本考案の一形態である固定具は、
壁面に固定される固定部材と、
上記固定部材に連結され、上記壁面とは反対側に位置する端面から当該壁面に向かって垂直に延びる所定の長さのネジ穴が形成された受け部材と、
上記受け部材の上記ネジ穴に挿入され螺合する棒状のネジ部と、当該ネジ部の挿入端とは反対側に当該ネジ部と一体的に形成された上記ネジ穴の内径よりも大きい外形の頭部と、を有する挿入部材と、を備える。
そして、上記挿入部材の上記頭部は、内部に発光手段を備える共に、当該発光手段にて発光された光が外部に露光されるよう当該発光手段の周囲が光を透過する透過部材にて形成されている。
また、上記挿入部材の上記ネジ部は、その外周部と先端部とに、上記発光手段に電力を供給するよう当該発光手段に接続された各発光手段側端子を備える。
また、上記受け部材は、上記ネジ穴の内側壁側と内底面側とに、当該ネジ穴に挿入された上記挿入部材の上記ネジ部に備えられた上記各発光手段側端子とそれぞれ接触して当該各発光手段側端子を介して上記発光手段に電力を供給する各電力供給側端子を備えると共に、当該各電力供給側端子にそれぞれ接続され上記固定部材側から外部に延びる電力供給用配線を備える。
さらに、上記固定部材は、当該固定部材内部を上記受け部材の上記電力供給用配線が通過することを許容する配線用空間部を有する、
という構成を採る。
【００３７】
また、上記固定具では、
上記固定部材の上記配線用空間部は、当該固定部材に連結された上記受け部材側と当該固定部材が固定された上記壁面側とが連通するよう上記固定部材に形成されている、
という構成を採る。
【００３８】
さらに、上記固定具では、
上記固定部材の上記配線用空間部は、上記固定部材の外周から中心に向かって切除された切り欠きにて形成されている、
という構成を採る。
【００３９】
上記構成の固定具によると、まず、固定部材を壁面に固定し、当該固定部材に受け部材を連結する。このとき、受け部材に形成されたネジ穴には、内側壁側と内底面側とに各電力供給側端子が形成され、また、当該各電力供給側端子に接続された電力供給用配線が固定部材側から外部に延びている。そして、この電力供給用配線を、固定部材に形成された切り欠きなどの配線用空間部に配置することで、当該固定部材内部を電力供給用配線が通過することとなり、当該電力供給用配線が不意なところから外部に露出することを抑制することができる。また、同時に、固定部材と受け部材とを確実に連結することができる。
【００４０】
そして、壁面とは反対側に位置する受け部材の端面側に、パネルなどの被固定部材を配置し、当該被固定部材に形成された固定用穴と受け部材に形成されたネジ穴に、挿入部材のネジ部を挿入してねじ込む。これにより、挿入部材の頭部と、壁面とは反対側に位置する受け部材の端面とで、被固定部材を挟み、当該被固定部材を壁面に固定することができる。
【００４１】
さらに、挿入部材のネジ部の外周部分と先端部とにそれぞれ設けられた各発光手段側端子が、ネジ穴内部に設けられた各電力供給用端子と接触することで、電力供給用配線から発光手段に電力が供給され、発光手段が発光する。そして、発光手段の周囲は透過部材にて形成されているため、発光手段からの光が外部に透過される。従って、壁面にパネルなどの被固定部材を固定しているネジの頭部を光らせることができ、固定具のデザイン性の向上を図ることができる。そして、特に上記構成にすることで、挿入部材に配線が形成されないため、取り付け作業も容易となり、作業性の向上を図ることができる。
【００４２】
また、上記固定具では、
上記受け部材に形成された上記ネジ穴の内底面側に備えられた上記電力供給側端子は、当該ネジ穴の穴方向に沿って伸縮するコイルばねにて形成されている、
という構成を採る。
【００４３】
これにより、内底面側の電力供給用端子の位置は、コイルばねが伸縮する範囲で可変可能である。従って、受け部材と挿入部材の頭部との間で挟持する被固定部材の厚さが変化することにより、挿入部材のネジ部の先端部に位置する発光手段側端子の位置が変化した場合であっても、コイルばねの伸縮の範囲であれば、相互に接触して電力供給が可能となる。従って、あらゆる厚さの被固定部材を固定することができ、利便性、汎用性の向上を図ることができる。
【００４４】
以上、上記各実施形態を参照して本願考案を説明したが、本願考案は、上述した実施形態に限定されるものではない。本願考案の構成や詳細には、本願考案の範囲内で当業者が理解しうる様々な変更をすることができる。
【産業上の利用可能性】
【００４５】
本考案は、壁面に展示する絵画やポスターなどを固定する固定具として利用することができ、産業上の利用可能性を有する。
【符号の説明】
【００４６】
１      固定具
１０    挿入部材
１１    ネジ部
１２，１３    端子（発光手段側端子）
１３ａ  絶縁体
１４，１５  配線
１６    頭部
１７    ＬＥＤ
１８    透過部材
２０    受け部材
２１    受け部材本体
２１ａ，２５ａ  電力供給用配線
２２    ネジ穴
２２，２５  電力供給側端子
２３    収容穴
２３ａ  係止穴
２４    絶縁部材
３０    固定部材
３２    凹部
３３    切り欠き
４１    ネジ
４１，１５  各配線
４２    止めネジ
Ｐ      パネル
Ｐａ    貫通穴
Ｗ      壁面
【図１】
0003156726.tif 000003
【図２】
0003156726.tif 000004
【図３】
0003156726.tif 000005
【図４】
0003156726.tif 000006
【図５】
0003156726.tif 000007
【図６】
0003156726.tif 000008
【図７】
0003156726.tif 000009